(57)【特許請求の範囲】
【請求項１】
コンデンサ、リレーコイル及び打音鉄片を有する打音機能付リレー装置と、方向指示灯と、方向指示スイッチと、運転者が前記方向指示スイッチの操作を確認するための表示灯とを備え、前記コンデンサの充放電を繰り返すことにより断続して前記リレーコイルを励磁することで、前記方向指示スイッチを介して前記方向指示灯が点滅するとともに、前記打音鉄片が前記打音機能付リレー装置のカバーを打撃して打音を発する打音機能付方向指示装置において、
前記打音機能付リレー装置が有する前記コンデンサに蓄積された電荷による放電電流を流す放電用抵抗の両端子に並列に前記表示灯を接続して、前記コンデンサからの放電電流を前記放電用抵抗とともに前記表示灯に流すことにより前記コンデンサの放電時間を短縮し、前記方向指示スイッチをオフ状態にしてからの打音が発するまでの時間を短縮したことを特徴とする打音機能付方向指示装置。
【発明の詳細な説明】
【０００１】
【発明の属する技術分野】
本発明は、打音機能付方向指示装置に係り、特に運転者が方向指示灯の点滅を打音によって確認できる打音機能付方向指示装置に関する。
【０００２】
【従来の技術】
従来の打音機能付方向指示装置として、例えば実公昭５７−５２２７号公報に記載されているように、リレー装置内部に発振器、リレーコイル、リレースイッチと一体に構成されるアーマチュア及びダイアフラムを備え、発振器の出力によってリレーコイルを断続的に励磁し、このリレーコイルの磁力に応動するアーマチュア及びリレースイッチによって方向指示スイッチを介して方向指示灯を点滅し、かつアーマチュアの弾性作用でダイアフラムを打撃して警報音を発するようにしたものがある。
【０００３】
また、従来の打音機能付方向指示装置として、リレー装置内部にコンデンサ、リレーコイル及びリレースイッチと一体に構成されるアーマチュアを備え、コンデンサの充放電作用を利用してリレーコイルを断続的に励磁し、このリレーコイルの磁力に応動するアーマチュア及びリレースイッチによって方向指示スイッチを介して方向指示灯を点滅し、かつアーマチュアの弾性作用でリレー装置のカバーを打撃して打音を発するようにしたものがある。
【０００４】
【発明が解決しようとする課題】
しかしながら、実公昭５７−５２２７号公報に記載されている打音機能付方向指示装置には、リレー装置内部に発振器を備えているので、リレー装置が高価になるという課題がある。
【０００５】
また、コンデンサの充放電作用を利用した従来の打音機能付方向指示装置において、コンデンサ充電中でアーマチュアを吸引し、コンデンサ充電完了でアーマチュアが消磁されて打音を発生させるように設定したものにおいて、コンデンサ充電中に方向指示スイッチをオフした場合に、その瞬間にアーマチュアが消磁されて打音を生じた後、コンデンサからの放電電流によってリレーコイルを再び励磁してアーマチュアが吸引され、次第に放電電流の減少に伴って吸引力が弱まり、アーマチュアの弾性作用で復帰した時に、方向指示灯を消灯しているのにもかかわらず、再度アーマチュアがリレー装置のカバーを打撃して打音を発し、違和感のある表示機能となるという課題がある。
【０００６】
本発明は、上記した従来技術の課題を解決するためになされたものであって、その目的は、リレー装置内部にコンデンサ、リレーコイル及びリレースイッチを備え、打音発生短縮手段をリレー装置の両端子に並列接続して方向指示スイッチをオフ状態にしてからの打音発生までの時間を短くして表示機能としての違和感を解消し、小型で安価な打音機能付方向指示装置を提供することにある。
【０００７】
【課題を解決するための手段】
上記課題を解決するために本発明に係る打音機能付方向指示装置は、コンデンサ、リレーコイル及び打音鉄片を有する打音機能付リレー装置と、方向指示灯と、方向指示スイッチと、運転者が方向指示スイッチの操作を確認するための表示灯とを備え、コンデンサの充放電を繰り返すことにより断続してリレーコイルを励磁することで、方向指示スイッチを介して方向指示灯が点滅するとともに、打音鉄片が打音機能付リレー装置のカバーを打撃して打音を発する装置であり、さらに、打音機能付リレー装置が有するコンデンサに蓄積された電荷による放電電流を流す放電用抵抗の両端子に並列に表示灯を接続して、コンデンサからの放電電流を放電用抵抗とともに表示灯に流すことによりコンデンサの放電時間を短縮し、方向指示スイッチをオフ状態にしてからの打音が発するまでの時間を短縮したことを特徴とする。
【０００８】
本発明に係る打音機能付方向指示装置は、打音機能付リレー装置が有するコンデンサに蓄積された電荷による放電電流を流す放電用抵抗の両端子に並列に表示灯を接続して、コンデンサからの放電電流を放電用抵抗とともに表示灯にも放電することにより、コンデンサの放電時間を短縮し、かかる表示灯を利用した打音発生短縮手段によりコンデンサの電荷を減少させることで、方向指示スイッチをオフ状態にしてからの打音が発するまでの時間を短縮したので、方向指示灯が消灯しているのにもかかわらず、打音機能付リレー装置のカバーを前記打音鉄片が打撃して打音を発することがなくなり、方向指示灯の表示機能としての違和感を解消することができる。また打音発生短絡手段として運転者が方向指示スイッチの操作を確認するための表示灯を用いたので、部品点数を減らすことができる。
【００１１】
【発明の実施の形態】
本発明の実施の形態を添付図面に基づいて以下に説明する。
図１は本発明に係る打音機能付方向指示装置の電気回路図である。
図１において、打音機能付方向指示装置１は、打音機能付リレー装置２と、打音発生短縮手段３としての表示灯７、方向指示スイッチ４と、方向指示灯（５，６）とを備える。
打音機能付リレー装置２は、その内部に、リレーコイル（Ａ，Ｂ）と、リレースイッチＳ2と、コンデンサＣ1と、放電用抵抗Ｒ1とを備える。
【００１２】
図２は本発明に係る打音機能付方向指示装置の動作説明図である。
図２は本発明に係る打音機能付方向指示装置１の（１）方向指示スイッチ４、（２）コンデンサ充放電電流、（３）リレースイッチＳ2、（４）表示灯７、（５）方向指示灯電流Ｉs、（６）方向指示灯（５，６）および（７）打音の状態の時間変化を示したものである。
本発明に係る打音機能付方向指示装置１の表示機能を図１と図２とを用いて説明する。
【００１３】
打音機能付方向指示装置１は、方向指示スイッチ４がオフからオンに切り替わった瞬間から動作を開始する。
方向指示スイッチ４の端子Ｃが端子Ｌ、または端子Ｒと接続されると、キースイッチＳ1を介して車両電源ＶBと打音機能付リレー装置２と方向指示灯（５，６）とから成る閉回路が形成される。
図２の（１）の時間ｔ1は方向指示スイッチ４をオフからオンに切り替えた瞬間を表わす。
【００１４】
方向指示スイッチ４をオフからオンに切り替えた瞬間(ｔ1)からリレーコイルＡに励磁電流が流れてリレーコイルＡを励磁し、リレーコイルＡに生じる磁力によって後述する打音鉄片１２（図３）を吸引してリレースイッチＳ2をオンからオフにする。
【００１５】
リレースイッチＳ2がオフになると、コンデンサＣ1に充電電流Ｉcが流れてリレーコイルＡとリレーコイルＢとを励磁し、リレーコイルＡとリレーコイルＢとに生ずる磁力によってリレースイッチＳ2のオフ状態を保持する。
リレースイッチＳ2のオフ状態が保持されている間は、コンデンサＣ1とリレーコイルＢとリレーコイルＡと打音機能付リレー装置２の端子Ｔ1及び端子Ｔ2に並列接続した表示灯７とから成る閉回路に放電電流Ｉdlが流れて表示灯７を点灯する。
【００１６】
このリレースイッチＳ2のオフ状態時の充電電流Ｉc、表示灯７、方向指示灯電流Ｉs、方向指示灯５及び打音の状態を図２の時間（ｔ1〜ｔ2）に示す。
【００１７】
充電電流Ｉcは、充電電流ＩcによってコンデンサＣ1に蓄積された電荷量の増加に伴い減少する。
後述する打音鉄片１２（図３）は、充電電流Ｉcの減少と共にリレーコイルＡとリレーコイルＢの磁力による吸引力が弱まって打音鉄片１２の弾性力によって打音機能付リレー装置２のカバーを打撃して打音を発生すると同時に、リレースイッチＳ2をオフ状態からオン状態に切り替える。
図２の（３）の時間ｔ2は、リレースイッチＳ2がオフ状態からオン状態に切り替わった瞬間を表わす。
【００１８】
リレースイッチＳ2がオフ状態からオン状態に切り替わると、車両電源ＶBとリレーコイルＡとリレースイッチＳ2と方向指示スイッチ４と方向指示灯５とからなる閉回路が形成され、方向指示灯電流Ｉsが方向指示灯５に流れて方向指示灯５を点灯する。
【００１９】
また、リレースイッチＳ2がオフ状態からオン状態に切り替わると、コンデンサＣ1とリレーコイルＢとリレースイッチＳ2とからなる閉回路が形成され、方向指示灯電流ＩsによるリレーコイルＡの励磁を妨げる方向に放電電流ＩdがリレーコイルＢに流れてリレースイッチＳ2をオン状態に保持する。
リレースイッチＳ2のオン状態が保持されている間は、表示灯７が消灯点灯する。
【００２０】
このリレースイッチＳ2のオン状態時の放電電流Ｉd、表示灯７、方向指示灯電流Ｉs、方向指示灯５及び打音の状態を図２の時間（ｔ2〜ｔ3）に示す。
【００２１】
放電電流Ｉdは、コンデンサＣ1に蓄積された電荷量の減少に伴い減少する。
方向指示灯電流ＩsによるリレーコイルＡの励磁を妨げる方向に放電電流Ｉdが減少すると、後述する打音鉄片１２（図３）はリレーコイルＡが励磁されて再び吸引され、リレースイッチＳ2をオン状態からオフ状態に切り替える。
【００２２】
リレースイッチＳ2がオン状態からオフ状態に切り替わると、コンデンサＣ1に再び充電電流Ｉcが流れてリレーコイルＡとリレーコイルＢとを励磁し、リレーコイルＡとリレーコイルＢとに生ずる磁力によってリレースイッチＳ2のオフ状態を保持する。
リレースイッチＳ2のオフ状態が保持されている間は、表示灯７が点灯し、方向指示灯５が消灯し、打音は消音となる。
【００２３】
このリレースイッチＳ2のオフ状態時の充電電流Ｉc、表示灯７、方向指示灯電流Ｉs、方向指示灯５及び打音の状態を図２の時間（ｔ3〜ｔ4）に示す。
【００２４】
方向指示スイッチ４がオフされるまで、リレースイッチＳ2のオン／オフとコンデンサＣ1とによる充放電を繰返すことによって方向指示灯（５または６）と表示灯７とを点滅し、方向指示灯（５または６）または表示灯７の点滅と同期した打音を発生する。
【００２５】
図２の時間ｔ6に示すように、リレースイッチＳ2がオフ状態で、充電電流ＩcによるコンデンサＣ1の充電中に方向指示スイッチ４をオンからオフにした瞬間は、リレーコイル（Ａ，Ｂ）が消磁されて打音鉄片１２の弾性力によって打音機能付リレー装置２のカバーを打撃して打音を発生すると共にリレースイッチＳ2がオン状態になる。
【００２６】
その結果、コンデンサＣ1からの放電電流ＩdによってリレーコイルＢは、再び励磁され、打音鉄片１２（図３）を吸引してリレースイッチＳ2をオフ状態にする。
リレースイッチＳ2がオフ状態になると、リレーコイル（Ａ，Ｂ）は、コンデンサＣ1とリレーコイルＢとリレーコイルＡと抵抗Ｒ1とから成る閉回路に流れる放電電流Ｉdrと、コンデンサＣ1とリレーコイルＢとリレーコイルＡと表示灯７とから成る閉回路に流れる放電電流Ｉdlとによって励磁され、リレースイッチＳ2のオフ状態を保持する。
【００２７】
リレーコイル（Ａ，Ｂ）による打音鉄片１２の吸引力は、リレーコイル（Ａ，Ｂ）に流れる放電電流（Ｉdr，Ｉdl）の減少に伴って弱まり、打音鉄片１２の弾性作用で復帰した時に、方向指示灯が消灯しているのにもかかわらず、再度打音鉄片１２が打音機能付リレー装置２のカバー（図３）を打撃して打音を発性する。
【００２８】
その結果、リレーコイルＡとリレーコイルＢは、放電電流（Ｉdr＋Ｉdl）によって励磁され、打音鉄片１２（図３）を吸引し続けてリレースイッチＳ2をオフ状態に保持する。
【００２９】
この時の表示灯７、方向指示灯電流Ｉs、方向指示灯５及び打音の状態を図２の時間（ｔ6〜ｔ7）に示す。
【００３０】
方向指示スイッチ４をオフにした後のコンデンサＣ1に蓄積された電荷量による放電電流が、放電用抵抗Ｒ1を流れる放電電流Ｉdrのみであると、図２の時間ｔ8に示すように、放電時間が長くなって方向指示スイッチ４をオフ状態にしてからの打音発生までの時間が長くなる。
【００３１】
これに対して、方向指示スイッチ４をオフにした後のコンデンサＣ1に蓄積された電荷量による放電電流が、放電用抵抗Ｒ1と表示灯７とを流れる放電電流（Ｉdr＋Ｉdl）であると、図２の時間ｔ7に示すように、放電時間を短くして方向指示スイッチ４をオフ状態にしてからの打音発生までの時間を短くできる。
【００３２】
このように、本発明に係る打音機能付方向指示装置１は、打音機能付リレー装置２の端子Ｔ1と端子Ｔ2とに表示灯７を並列接続して方向指示スイッチ４をオフにした後のコンデンサＣ1に蓄積された電荷量による放電時間を短くし、方向指示スイッチ４をオフ状態にしてからの打音の発生時間を短くすることができるので、表示機能としての違和感を解消することができる。
【００３３】
図３は打音機能付リレー装置２の断面図を示したものである。
図３において、打音機能付リレー装置２は、ケース１０と、ベース１１と、打音鉄片１２と、カバー１３と、リレースイッチＳ2を構成する接点可動片１４、可動接点１５及び固定接点１６と、リレーコイルＡと、リレーコイルＢと、抵抗Ｒ1と、コンデンサＣ1とを備える。
【００３４】
接点可動片１４の先端部には可動接点１５が取り付けられており、可動接点１５と対向する位置に固定接点１６が配設されている。
打音鉄片１２が作動しない状態において、可動接点１５は固定接点１６に当接しており、リレースイッチＳ2はオン状態である。
【００３５】
打音鉄片１２が作動しない状態において、打音鉄片１２の先端部はカバー１３に当接している。
打音鉄片１２は、リレーコイルＡとリレーコイルＢとが断続的に励磁されると、リレーコイルＡとリレーコイルＢとに生じる磁力による断続的な吸引力によって作動する。
【００３６】
打音鉄片１２は、リレーコイルＡとリレーコイルＢとに生じる磁力によって吸引され、リレースイッチＳ2に作用してリレースイッチＳ2をオフする。
次に、打音鉄片１２は、リレーコイルＡとリレーコイルＢとの励磁が消滅すると打音鉄片１２の弾性力によって復帰することにより、カバー１３を打撃して打音を発生すると共に、リレースイッチＳ2への作用を解いてリレースイッチＳ2をオンする。
【００３７】
なお、上記実施形態は本発明の一実施例であり、本発明は上記実施形態に限定されるものではない。
【００３８】
【発明の効果】
本発明は上記構成により次の効果を発揮する。
本発明に係る打音機能付方向指示装置は、打音機能付リレー装置の両端子に並列接続して方向指示スイッチをオフ状態にしてからの打音発生までの時間を短くする打音発生短縮手段を備え、表示機能としての違和感を解消することができるので、商品性の向上ができる。
【００３９】
また、本発明に係る打音機能付方向指示装置は、打音発生短縮手段に、運転者が方向指示スイッチの操作を確認するための表示灯を用い、部品点数を減らすことができるので、小型で、安価にすることができる。
【００４０】
よって、本発明は、商品性の高い、経済的な打音機能付方向指示装置を提供することができる。
【図面の簡単な説明】
【図１】本発明に係る打音機能付方向指示装置の電気回路図
【図２】本発明に係る打音機能付方向指示装置の動作説明図
【図３】打音機能付リレー装置２の断面図
【符号の説明】
１…打音機能付方向指示装置、２…打音機能付リレー装置、３…打音発生短縮手段、４…方向指示スイッチ、５，６…方向指示灯、７…表示灯、１０…ケース、１１…ベース、１２…打音鉄片、１３…カバー、１４…接点可動片、１５…可動接点、１６…固定接点、Ａ，Ｂ…リレーコイル、Ｃ1…コンデンサ、Ｉd…充電電流、Ｉd，Ｉdl，Ｉdr…放電電流、Ｒ1…放電用抵抗、Ｓ1…キースイッチ、Ｓ2…リレースイッチ、Ｔ1，Ｔ2…端子、ｔ1〜ｔ8…時間、ＶB…車両電源。
【図１】
0003933238.tif 000002
【図２】
0003933238.tif 000003
【図３】
0003933238.tif 000004